(57)【要約】【課題】ケーブルの固定に用いる部品を分離しないように組み合わせることで、エキスパンドメタルのような被固定板材の上面側のみから作業できると共に、その作業を短時間で完了させることができ、かつ部品の落下を阻止して安全に作業する。【解決手段】ケーブルＣを挿通支持するケーブル挿通孔７を形成したケーブル支持部２と、ケーブル支持部２を、首部９を介して回動自在に支持するボルト状の支持軸３と、支持軸３を被固定板材Ｅの下面側から螺合固定するために支持軸螺合孔１０を開けた、断面が略Ｌ字形状の部材から成る下側固定片４と、支持軸３を挿通する支持軸通し孔１１と、下側固定片４の落下を阻止する固定片落下防止構造５とを形成した上側固定片６とから成る。【選択図】図１
2008148446.tif 000002
【特許請求の範囲】
【請求項１】
エキスパンドメタル等の多数の隙間（Ｓ）を有する被固定板材（Ｅ）に着脱自在にケーブル（Ｃ）を固定するケーブル固定具（１）であって、
前記ケーブル（Ｃ）を挿通支持するケーブル挿通孔（７）を形成したケーブル支持部（２）と、
前記ケーブル支持部（２）を、首部（９）を介して回動自在に支持するボルト状の支持軸（３）と、
前記支持軸（３）を前記被固定板材（Ｅ）の下面側から螺合固定するために支持軸螺合孔（１０）を開けた、断面が略Ｌ字形状の部材から成る下側固定片（４）と、
前記支持軸（３）を挿通する支持軸通し孔（１１）と、前記下側固定片（４）の落下を阻止する固定片落下防止構造（５）とを形成した上側固定片（６）と、から成る、ことを特徴とするケーブル固定具。
【請求項２】
前記固定片落下防止構造（５）は、
前記上側固定片（６）に前記下側固定片（４）を掛け止める固定片通しスリット（１２）を開け、
該下側固定片（４）の上端縁に形成した、その側方へ突出する突起（１４）から成る抜け止め（１５）部分で該固定片通しスリット（１２）からの落下を防止するように構成したものである、ことを特徴とする請求項１のケーブル固定具。
【請求項３】
前記固定片落下防止構造（５）は、
前記上側固定片（６）に前記下側固定片（４）を掛け止める固定片通しスリット（１２）を開け、
該下側固定片（４）の上端縁を折り返した抜け止め（１５）部分で該固定片通しスリット（１２）からの落下を防止するように構成したものである、ことを特徴とする請求項１のケーブル固定具。
【発明の詳細な説明】
【技術分野】
【０００１】
本発明は、建造物などでケーブル類をエキスパンドメタル等の多数の隙間を有する板材に固定するケーブル保持具に関する。
【背景技術】
【０００２】
従来から携帯無線局等の鉄塔やビル局のような建造物に敷設される電気配線等のケーブル類は、本数が多い上敷設する距離も長い。このようなケーブル類を整然かつ安全に、しかも経済的に敷設するために、ケーブルラックが用いられている。
【０００３】
このようなケーブルラックに関しては、例えば特許文献１の特開２００２−１６５３２４号公報「ケーブルラック」に示すように、鉄骨等の架台上に確保されるメンテナンス通路スペースにおいて、機器寄り側に配線スペースを振り分け、ここに、並行親桁と底辺架設の子桁とで構成の機器寄りにヒンジを配したグレーチングまたはエキスパンドメタルの通気・透視性開閉蓋を有するラックユニットを、該親桁間同志の差込式ジョイントにて形成したケーブルラックが提案されている。
【特許文献１】特開２００２−１６５３２４号公報
【０００４】
しかし、ケーブルラックを設ける場合、ケーブルが１、２本程度であれば不経済である。また、ケーブルラックでは敷設方向が決まった方向になる。そこで、エキスパンドメタルのような多数の隙間を有する板材に固定金物を取り付け、この固定金物で数本のケーブルを支持する技術が提案されている。例えば、図６の正面図に示すように、２枚の固定片５１をエキスパンドメタルＥにその上下面から挟み、その上方から支持軸５２を固定片５１の通し孔５３に挿し込み、その支持軸５３の下端部に下側ナット５４を締め付け、上側の固定片５１を上側ナット５４で締め付けて固定作業が完了する。最後に、支持軸５２の上部にあるケーブル支持部５５でケーブルＣを支持する。
【発明の開示】
【発明が解決しようとする課題】
【０００５】
しかし、図６に示すような２枚の固定片５１では、エキスパンドメタルＥへの取り付け、又は取り外し作業中に、エキスパンドメタルＥの下側の固定片５１、締め付け用ナット５４とワッシャ５６等が落下しやすく、作業のやり直しになりやすいという問題を有していた。しかも、エキスパンドメタルＥ上面側と下面側といった２名の作業者が必要になるという問題を有していた。
【０００６】
また、このような作業が高所におけるときは、これらの部品の落下は、その作業現場の下方にいる人にとって大変危険であった。
【０００７】
本発明は、かかる問題点を解決するために創案されたものである。すなわち、本発明の目的は、ケーブルの固定に用いる部品を分離しないように組み合わせることで、エキスパンドメタルのような被固定板材の上面側のみから作業できると共に、その作業を短時間で完了させることができ、かつ部品の落下を阻止して安全に作業することができるケーブル固定具を提供することにある。
【課題を解決するための手段】
【０００８】
本発明によれば、エキスパンドメタル等の多数の隙間（Ｓ）を有する被固定板材（Ｅ）に着脱自在にケーブル（Ｃ）を固定するケーブル固定具（１）であって、前記ケーブル（Ｃ）を挿通支持するケーブル挿通孔（７）を形成したケーブル支持部（２）と、前記ケーブル支持部（２）を、首部（９）を介して回動自在に支持するボルト状の支持軸（３）と、前記支持軸（３）を前記被固定板材（Ｅ）の下面側から螺合固定するために支持軸螺合孔（１０）を開けた、断面が略Ｌ字形状の部材から成る下側固定片（４）と、前記支持軸（３）を挿通する支持軸通し孔（１１）と、前記下側固定片（４）の落下を阻止する固定片落下防止構造（５）とを形成した上側固定片（６）と、から成る、ことを特徴とするケーブル固定具が提供される。
例えば、前記固定片落下防止構造（５）は、前記上側固定片（６）に前記下側固定片（４）を掛け止める固定片通しスリット（１２）を開け、該下側固定片（４）の上端縁に形成した、その側方へ突出する突起（１４）から成る抜け止め（１５）部分で該固定片通しスリット（１２）からの落下を防止するように構成したものである。
【０００９】
または、前記固定片落下防止構造（５）は、前記上側固定片（６）に前記下側固定片（４）を掛け止める固定片通しスリット（１２）を開け、該下側固定片（４）の上端縁を折り返した抜け止め（１５）部分で該固定片通しスリット（１２）からの落下を防止するように構成したものでもよい。
【発明の効果】
【００１０】
上記構成の発明では、先ず上側固定片（６）の固定片落下防止構造（５）を構成する固定片通しスリット（１２）に、下側固定片（４）を挿し込み、この下側固定片（４）と上側固定片（６）とを組み合わせた状態で被固定板材（Ｅ）の隙間（Ｓ）から下側固定片（４）の下先端を挿し込み、下側固定片（４）の曲折部（１３）が固定片通しスリット（１２）を通過したら、下側固定片（４）の支持軸螺合孔（１０）と上側固定片（６）の支持軸通し孔（１１）の位置が一直線上になるように下側固定片（４）の平坦部（）と上側固定片（６）とを並行に並べる。
次に、上側固定片（６）の支持軸通し孔（１１）から支持軸（３）を通し、更にこの支持軸（３）を被固定板材（Ｅ）の隙間（Ｓ）に通し、この支持軸（３）を回転させながら下側固定片（４）の支持軸螺合孔（１０）に締め付ける。この支持軸（３）の下端が下側固定片（４）の下方へ突き出たら、支持軸（３）の締め付け回転を止める。上側固定片（６）の上方にある支持軸（３）に着けたナット（１６）をこの上側固定片（６）側に締め付ける。このとき下側固定片（４）は支持軸（３）と螺合しているので、この下側固定片（４）と上側固定片（６）に挟まれた被固定板材（Ｅ）を強固に挟むことになり、この支持軸（３）は被固定板材（Ｅ）に強固に固定される。
最後に、この支持軸（３）の上部に構成したケーブル支持部（２）のケーブル挿通孔（７）にケーブル（Ｃ）を挿通して固定が完了する。
【００１１】
本発明のケーブル固定具（１）は、下側固定片（４）を上側固定片（６）と組み合わせて被固定板材（Ｅ）に取り付ける構造になっているので、被固定板材（Ｅ）の上面側からの作業のみで固定作業を完了させることができる。しかも、固定片落下防止構造（５）を形成したので、従来のように作業中に誤って部品を落下させるといった危険を回避することができる。
【００１２】
一方、被固定板材（Ｅ）からケーブル固定具（１）を外すときは、上側固定片（６）を締め付けているナット（１６）を緩め、次に支持軸（３）を下側固定片（４）の支持軸螺合孔（１０）から緩めて抜き取れば、下側固定片（４）を被固定板材（Ｅ）の隙間（Ｓ）から抜き取ることができる。このときも、下側固定片（４）は上側固定片（６）に組み合わせた状態になっているので、下側固定片（４）が落下することはない。
【発明を実施するための最良の形態】
【００１３】
本発明のケーブル固定具は、ケーブルを支持するケーブル支持具と、ケーブル支持具を支えるボルト状の支持軸と、この支持軸を被固定板材の下面側から固定する下側固定片と、下側固定片の落下を防止する落下防止構造を形成した上側固定片とから成るものである。
【実施例１】
【００１４】
以下、本発明の好ましい実施の形態を図面を参照して説明する。
図１は実施例１のケーブル固定具をエキスパンドメタルに取り付けた状態を示す正面図である。図２は下側固定片（ａ）と上側固定片（ｂ）を示す斜視面図である。
実施例１のケーブル固定具１は、ケーブルＣを支持するケーブル支持部２と、ケーブル支持部２を支えるボルト状の支持軸３と、この支持軸３をエキスパンドメタル等の多数の隙間Ｓを有する被固定板材Ｅにその下面側から固定する下側固定片４と、この下側固定片４が落下することを防止する固定片落下防止構造５を形成した上側固定片６とから成り、被固定板材Ｅに着脱自在にケーブルＣを固定する固定具である。
【００１５】
ケーブル支持部２は、数本のケーブルＣを挿通支持するケーブル挿通孔７を形成した部材である。図１の図示例では３本のケーブルＣを挿通支持するようになっている。但し、この本数は３本に限定されないことは勿論である。
【００１６】
このケーブル支持部２は、略半円形状の支持金具８で上下から挟むように支持されている。一方の支持金具８には、これを回動自在に支持する首部９を介して支持軸３を連結している。この支持軸３は、ボルト状にねじ山が形成されたものである。この支持軸３とケーブル支持部２とは、この首部９部分でこの支持軸３の軸方向を回転中心としてそれぞれ自由に回動させることができる。これは、ケーブルＣを這わす向きを容易に可変させるためである。
【００１７】
下側固定片４は、図２（ａ）に示すように、略長方形状の金属片を断面が略Ｌ字形状に成るように曲折した部材である。この下側固定片４の一面には支持軸３を、被固定板材Ｅの下面側から螺合固定するためにねじ切りされた支持軸螺合孔１０を開けている。この下側固定片４の支持軸螺合孔１０により、従来の下側のナットが不要になり、かつ落下防止になる。なお、この支持軸螺合孔１０に代えて、下側固定片４の一面に通し孔を開け、この位置に支持軸３と螺合するナット（図示していない）を溶接又は接着固定するといった構造にすることも可能である。
【００１８】
上側固定片６は、図２（ｂ）に示すように、略長方形状の金属片からなる部材である。この上側固定片６は支持軸３を挿通する支持軸通し孔１１と、固定片落下防止構造５を構成する下側固定片４を通す固定片通しスリット１２からなる部材である。支持軸通し孔１１は支持軸３の外径より長い内径を有する。また、固定片通しスリット１２は、下側固定片４をその下先端から挿し込み、その曲折部１３も通過させ得る程度の間隔を有するスリットである。
【００１９】
固定片通しスリット１２は、下側固定片４が落下することを防止するための固定片落下防止構造５として機能する。例えば、下側固定片４の上端縁にその側方へ突出する突起１４から成る抜け止め１５を形成し、この抜け止め１５が、固定片通しスリット１２部分で引っ掛かる。
【００２０】
図３はケーブル固定具を被固定板材に取り付ける状態を示す説明正面図であり、（ａ）は上側固定片に下側固定片を挿し込む状態、（ｂ）は上側固定片に下側固定片を挿し込んだ状態で、下側固定片を更に被固定板材に挿し込む状態、（ｃ）は下側固定片と上側固定片との位置決めをする状態、（ｄ）は上側固定片に支持軸を通す状態、（ｅ）は下側固定片に支持軸を締め付ける状態、（ｆ）は上側固定片にナットを締め付ける状態である。図４はケーブルを支持している状態のケーブル固定具をを示す斜視図である。
ケーブル固定具１を被固定板材Ｅに取り付ける状態を説明する。図３（ａ）に示すように、先ず上側固定片６の固定片落下防止構造５を構成する固定片通しスリット１２に、下側固定片４を挿し込む。
図３（ｂ）に示すように、この下側固定片４と上側固定片６とを組み合わせた状態で被固定板材Ｅの隙間Ｓから下側固定片４の下先端を挿し込む。なお、先に被固定板材Ｅに上側固定片６を置き、その状態で下側固定片４の下先端を、上側固定片６の固定片通しスリット１２と被固定板材Ｅの隙間Ｓに同時に挿し込むことも可能である。
図３（ｃ）に示すように、この下側固定片４の曲折部１３が固定片通しスリット１２を通過したら、下側固定片４の支持軸螺合孔１０と上側固定片６の支持軸通し孔１１の位置が一直線状に位なるように下側固定片４の平坦部と上側固定片６とを並行に並べる。
【００２１】
次に、図３（ｄ）に示すように、上側固定片６の支持軸通し孔１１から支持軸３を通す。なお、図３（ｄ），（ｅ）と（ｆ）では、ケーブル支持部２を省略し、支持軸３から下部を図示している。
更に、図３（ｅ）に示すように、この支持軸３を被固定板材Ｅの隙間Ｓに通し、この支持軸３を回転させながら下側固定片４の支持軸螺合孔１０に締め付ける。この支持軸３の下端が下側固定片４の下方へ突き出たら、支持軸３の締め付け回転を止める。
図３（ｆ）に示すように、上側固定片６の上方にある支持軸３に着けたナット１６をこの上側固定片６に締め付ける。このとき下側固定片４は支持軸３と螺合しているので、この下側固定片４と上側固定片６に挟まれた被固定板材Ｅを強固に挟むことになり、この支持軸３は被固定板材Ｅに強固に固定される。
【００２２】
最後に、図４の斜視図に示すように、この支持軸３の上部に構成したケーブル支持部２のケーブル挿通孔７にケーブルＣを挿通して固定が完了する。
【００２３】
一方、被固定板材Ｅからケーブル固定具１を外すときは、上側固定片６を締め付けているナット１６を緩め、次に支持軸３を下側固定片４の支持軸螺合孔１０から緩めて抜き取れば、下側固定片４を被固定板材Ｅの隙間Ｓから抜き取ることができる。このときも、下側固定片４は上側固定片６に組み合わせた状態になり、更に固定片落下防止構造５により、下側固定片４が落下することはない。
【実施例２】
【００２４】
図５は実施例２のケーブル固定具を示す正面図である。
実施例２のケーブル固定具では、その固定片落下防止構造５が、上側固定片６に下側固定片４を掛け止める固定片通しスリット１２を開け、この下側固定片４の上端縁を折り返した抜け止め１５部分で固定片通しスリット１２からの落下を防止するように構成した。本発明の固定片落下防止構造５は、上側固定片６から分離せず、かつこの上側固定片６と下側固定片４に支持軸３を挿し込み、または螺合し得る構造であれば、その抜け止め１５の構造は突起１４、折り返しに限定されない。
【００２５】
なお、本発明は、ケーブルＣの固定に用いる部品を分離しないように組み合わせることで、被固定板材Ｅの上面側のみから作業できると共に、その作業を短時間で完了させることができ、かつ部品の落下を阻止して安全に作業することができれば、上述した発明の実施の形態に限定されず、本発明の要旨を逸脱しない範囲で種々変更できることは勿論である。
【産業上の利用可能性】
【００２６】
本発明のケーブル固定具は、建造物などでケーブル類を多数の隙間を有する板材に固定するときに利用することができるが、ケーブル以外に様々な部材を多数の隙間を有する板材に固定するときも利用することができる。
【図面の簡単な説明】
【００２７】
【図１】実施例１のケーブル固定具をエキスパンドメタルに取り付けた状態を示す正面図である。
【図２】下側固定片（ａ）と上側固定片（ｂ）を示す斜視面図である。
【図３】ケーブル固定具を被固定板材に取り付ける状態を示す説明正面図であり、（ａ）は上側固定片に下側固定片を挿し込む状態、（ｂ）は上側固定片に下側固定片を挿し込んだ状態で、下側固定片を更に被固定板材に挿し込む状態、（ｃ）は下側固定片と上側固定片との位置決めをする状態、（ｄ）は上側固定片に支持軸を通す状態、（ｅ）は下側固定片に支持軸を締め付ける状態、（ｆ）は上側固定片にナットを締め付ける状態である。
【図４】ケーブルを支持している状態のケーブル固定具を示す斜視図である。
【図５】実施例２のケーブル固定具を示す正面図である。
【図６】従来のケーブル固定具をエキスパンドメタルに取り付けた状態を示す正面図である。
【符号の説明】
【００２８】
１  ケーブル固定具
２  ケーブル支持部
３  支持軸
４  下側固定片
５  固定片落下防止構造
６  上側固定片
７  ケーブル挿通孔
９  首部
１０  支持軸螺合孔
１１  支持軸通し孔
１２  固定片通しスリット
１４  突起
１５  抜け止め
Ｅ  被固定板材（エキスパンドメタル）
Ｓ  隙間
【図１】
2008148446.tif 000003
【図２】
2008148446.tif 000004
【図３】
2008148446.tif 000005
【図４】
2008148446.tif 000006
【図５】
2008148446.tif 000007
【図６】
2008148446.tif 000008